(57)【要約】      【課題】  デジタルＴＶの信号の受信品質が所定レベル付近にあるエリアに移動体がある場合、又は不安定な天候下でデジタルＴＶの信号の受信品質が所定レベル付近で上下するような場合において、アナログＴＶ放送とデジタルＴＶ放送とが頻繁に切り換わるという現象を極力防止することが可能な本発明のテレビジョン放送受信機を提供することである。      【解決手段】  デジタルテレビジョンの受信状態が第１の条件を満たしたときに外部機器への出力をアナログテレビジョン放送に切り換え、デジタルテレビジョンの受信状態が第２の条件を満たしたときに外部機器への出力をデジタルテレビジョン放送に切り換える出力切り換え手段と、デジタルテレビジョンの受信状態が第１の条件を満たしたときに、該第１の条件が満たされやすくなるように第１の条件を変更する、第１の条件変更手段と、を有する。【選択図】      図２
2007208336.tif 000002
【特許請求の範囲】
【請求項１】
サイマル方式のデジタルテレビジョン放送とアナログテレビジョン放送とを受信して捕捉するテレビジョン放送受信機であって、
デジタルテレビジョンの受信状態が第１の条件を満たしたときに外部機器への出力をアナログテレビジョン放送に切り換え、デジタルテレビジョンの受信状態が第２の条件を満たしたときに外部機器への出力をデジタルテレビジョン放送に切り換える出力切り換え手段と、
デジタルテレビジョンの受信状態が第１の条件を満たしたときに、該第１の条件が満たされやすくなるように該第１の条件を変更する、第１の条件変更手段と、
を有することを特徴とするテレビジョン放送受信機。
【請求項２】
該第１の条件とは、デジタルテレビジョン放送の受信品質が所定値よりも低い状態が第１の時間以上続くことであり、
前記第１の条件変更手段は、デジタルテレビジョンの受信状態が第１の条件を満たしたときに第１の時間を短くすること、
を特徴とする請求項１に記載のテレビジョン放送受信機。
【請求項３】
前記第１の条件変更手段は、第１の時間が所定の最小時間に設定されているときは、デジタルテレビジョンの受信状態が第１の条件を満たしたときに第１の時間を変更しないこと、を特徴とする請求項２に記載のテレビジョン放送受信機。
【請求項４】
サイマル方式のデジタルテレビジョン放送とアナログテレビジョン放送とを受信して捕捉するテレビジョン放送受信機であって、
デジタルテレビジョンの受信状態が第１の条件を満たしたときに外部機器への出力をアナログテレビジョン放送に切り換え、デジタルテレビジョンの受信状態が第２の条件を満たしたときに外部機器への出力をデジタルテレビジョン放送に切り換える出力切り換え手段と、
デジタルテレビジョンの受信状態が第２の条件を満たしたときに、該第１の条件が満たされにくくなるように該第１の条件を変更する、第２の条件変更手段と、
を有することを特徴とするテレビジョン放送受信機。
【請求項５】
該第１の条件とは、デジタルテレビジョン放送の受信品質が所定値よりも低い状態が第１の時間以上続くことであり、
前記第２の条件変更手段は、デジタルテレビジョンの受信状態が第２の条件を満たしたときに第１の時間を長くすること、
を特徴とする請求項４に記載のテレビジョン放送受信機。
【請求項６】
前記第２の条件変更手段は、第１の時間が所定の最大時間に設定されているときは、デジタルテレビジョンの受信状態が第２の条件を満たしたときに第１の時間を変更しないこと、を特徴とする請求項５に記載のテレビジョン放送受信機。
【請求項７】
サイマル方式のデジタルテレビジョン放送とアナログテレビジョン放送とを受信して捕捉するテレビジョン放送受信機であって、
デジタルテレビジョンの受信状態が第１の条件を満たしたときに外部機器への出力をアナログテレビジョン放送に切り換え、デジタルテレビジョンの受信状態が第２の条件を満たしたときに外部機器への出力をデジタルテレビジョン放送に切り換える出力切り換え手段と、
前記テレビジョン放送受信機が、デジタルテレビジョンの受信状態が第２の条件を満たしたときに、該第２の条件が満たされやすくなるように該第２の条件を変更する、第３の条件変更手段と、
を有することを特徴とするテレビジョン放送受信機。
【請求項８】
該第２の条件とは、デジタルテレビジョン放送の受信品質が所定値よりも高い状態が第
２の時間以上続くことであり、
前記第３の条件変更手段は、デジタルテレビジョンの受信状態が第２の条件を満たしたときに第２の時間を短くすること、
を特徴とする請求項７に記載のテレビジョン放送受信機。
【請求項９】
前記第３の条件変更手段は、第２の時間が所定の最小時間に設定されているときは、デジタルテレビジョンの受信状態が第２の条件を満たしたときに第２の時間を変更しないこと、を特徴とする請求項２に記載のテレビジョン放送受信機。
【請求項１０】
サイマル方式のデジタルテレビジョン放送とアナログテレビジョン放送とを受信して捕捉するテレビジョン放送受信機であって、
デジタルテレビジョンの受信状態が第１の条件を満たしたときに外部機器への出力をアナログテレビジョン放送に切り換え、デジタルテレビジョンの受信状態が第２の条件を満たしたときに外部機器への出力をデジタルテレビジョン放送に切り換える出力切り換え手段と、
前記テレビジョン放送受信機が、デジタルテレビジョンの受信状態が第１の条件を満たしたときに、該第２の条件が満たされにくくなるように該第２の条件を変更する、第
４の条件変更手段と、
を有することを特徴とするテレビジョン放送受信機。
【請求項１１】
該第２の条件とは、デジタルテレビジョン放送の受信品質が所定値よりも高い状態が第
２の時間以上続くことであり、
前記第４の条件変更手段は、デジタルテレビジョンの受信状態が第１の条件を満たしたときに第２の時間を長くすること、
を特徴とする請求項１０に記載のテレビジョン放送受信機。
【請求項１２】
前記第４の条件変更手段は、第２の時間が所定の最大時間に設定されているときは、デジタルテレビジョンの受信状態が第１の条件を満たしたときに第２の時間を変更しないこと、を特徴とする請求項１０に記載のテレビジョン放送受信機。
【発明の詳細な説明】
【技術分野】
【０００１】
この発明は、サイマル方式のデジタルテレビジョン放送（以下、デジタルＴＶ放送と略記）とアナログテレビジョン放送（以下、アナログＴＶ放送と略記）とを受信して捕捉するテレビジョン放送受信機に関する。
【背景技術】
【０００２】
近年、地上波のデジタルＴＶ放送が普及し始めている。しかしながらその普及には膨大な時間とコストを必要とし、現段階では一部の地域でしかデジタルＴＶ放送を視聴することができない。また、デジタルＴＶ放送を視聴できないＴＶのみを有するユーザも数多く存在する。これらの事情を鑑みて、現在、デジタルＴＶ放送とアナログＴＶ放送とのサイマル放送（すなわちデジタル及びアナログの両方式で同一時間に同一コンテンツを放送すること）が実施されている。
【０００３】
上述したように地域によってデジタルＴＶ放送を受信できないところがある為、例えば車両に代表される移動体に搭載されたＴＶ放送用の受信機では、移動による受信状態の変化に拘わらずＴＶ番組をユーザが継続して視聴できるよう、デジタルＴＶ放送とアナログＴＶ放送の両放送を受信・捕捉できることが望ましい。この為、両放送を受信・捕捉可能なテレビジョン放送受信機が種々提案され、実用に供されている（例えば特許文献１）。なお、特許文献１に示されたテレビジョン放送受信機では、デジタルＴＶ放送の受信感度に基づいて、出力映像及び音声をデジタルＴＶ放送又はアナログＴＶ放送のものに切り換えている。また、ここでいうユーザとは、例えば、車両停止中における運転手、或いは、助手席や後部座席に座っている同乗者などを示す。
【特許文献１】特開２００１−１２８０７８号公報
【発明の開示】
【発明が解決しようとする課題】
【０００４】
上記特許文献１に示されたような一般的な従来のテレビジョン放送受信機においてデジタルＴＶ放送とアナログＴＶ放送とを切り換える際、以下のような方針に基づいて切り換えを行う方法が考案されている。すなわち、デジタルＴＶ放送を受信中に、受信しているデジタルＴＶ放送の信号の受信品質が所定のレベルを下回った状態が所定時間以上続いた場合は、アナログＴＶへの切り換えが行われる。また、アナログＴＶ放送を受信中に、そのアナログ放送と同じ番組を放映しているデジタルＴＶ放送の信号の受信品質が所定のレベルを上回った状態が所定時間続いた場合は、デジタルＴＶ放送への切り換えが行われる。
【０００５】
このような構成においては、デジタルＴＶの信号の受信品質が所定レベル付近にあるエリアに移動体がある場合、又は不安定な天候下でデジタルＴＶの信号の受信品質が所定レベル付近で上下するような場合は、アナログＴＶ放送とデジタルＴＶ放送とが頻繁に切り換わり、視聴時に不快感を生じ得る。
【課題を解決するための手段】
【０００６】
上記の課題を解決するため、本発明のテレビジョン放送受信装置は、デジタルテレビジョンの受信状態が第１の条件を満たしたときに外部機器への出力をアナログテレビジョン放送に切り換え、デジタルテレビジョンの受信状態が第２の条件を満たしたときに外部機器への出力をデジタルテレビジョン放送に切り換える出力切り換え手段と、デジタルテレビジョンの受信状態が第１の条件を満たしたときに、該第１の条件が満たされやすくなるように該第１の条件を変更する、第１の条件変更手段と、を有する。代替的又は追加的には、テレビジョン放送受信装置が、デジタルテレビジョンの受信状態が第２の条件を満たしたときに第１の条件が満たされにくくなるように第１の条件を変更する第２の条件変更手段、デジタルテレビジョンの受信状態が第２の条件を満たしたときに第２の条件が満たされやすくなるように第２の条件を変更する第３の条件変更手段、及び／又はデジタルテレビジョンの受信状態が第１の条件を満たしたときに第２の条件が満たされにくくなるように第２の条件を変更する第４の条件変更手段を有する。
【０００７】
このような構成とすると、デジタルテレビジョンの受信状態が第１の条件又は第２の条件を満たすたびに、アナログＴＶ放送とデジタルＴＶ放送との間での切り換わりが起こりにくくなるように第１の条件と第２の条件とが変更されるようになる。結果として、本発明によれば、アナログＴＶ放送とデジタルＴＶ放送とが頻繁に切り換わるという現象を極力防止することが可能となる。
【０００８】
なお、第１の条件とは、例えばデジタルテレビジョン放送の受信品質が所定値よりも低い状態が第１の時間以上続くことであり、また、第２の条件とは、例えばデジタルテレビジョン放送の受信品質が所定値よりも高い状態が第２の時間以上続くことである。ここで、デジタルテレビジョンの受信状態が第１の条件を満たしたときに第１の時間が短くなる、及び／又は第２の時間が長くなる。代替的又は追加的には、デジタルテレビジョンの受信状態が第２の条件を満たしたときに第１の時間が長くなる及び／又は第２の時間が短くなる。
【発明の効果】
【０００９】
以上のように、本発明のテレビジョン放送受信機によれば、デジタルＴＶの信号の受信品質が所定レベル付近にあるエリアに移動体がある場合、又は不安定な天候下でデジタルＴＶの信号の受信品質が所定レベル付近で上下するような場合において、アナログＴＶ放送とデジタルＴＶ放送とが頻繁に切り換わるという現象を極力防止することが可能となる。
【発明を実施するための最良の形態】
【００１０】
以下、図面を参照して、本発明の実施の形態のテレビジョン放送受信機の構成及び作用について説明する。
【００１１】
本発明の実施の形態のテレビジョン放送受信機は、例えば移動体である車両に搭載されており、ユーザに、デジタルＴＶ放送（ここでは地上波デジタルＴＶ放送）が良好に受信できる地域とそうでない地域の間を移動する際にデジタルＴＶ放送とアナログＴＶ放送（ここでは地上波アナログＴＶ放送）との切り換わりを自動的に行う機能を有する装置である。
【００１２】
図１は、本実施形態のテレビジョン放送受信機１００の構成を示したブロック図である。本実施形態のテレビジョン放送受信機１００は、制御部１０、操作部１２、記憶部１４、及び、映像・音声切換部５０を備えている。また、テレビジョン放送受信機１００には、コンポーネント信号を出力するコンポーネント映像出力端子やコンポジット信号を出力するコンポジット映像出力端子（不図示）、及び音声信号を出力する音声出力端子（不図示）が設けられている。ユーザは、コンポーネント映像出力端子又はコンポジット映像出力端子のいずれかにＴＶ番組の映像を表示させるモニタ（不図示）を接続し、更に音声出力端子に音声を出力させるスピーカ（不図示）を接続することによって、デジタルＴＶ放送やアナログＴＶ放送の番組を視聴することができる。
【００１３】
制御部１０は、この制御部１０自身に備えられた発振器が生成するクロックパルスに基づいて時間をカウントするカウント部１０ａを有しており、当該クロックパルスに合わせて作動し、テレビジョン放送受信機１００全体の制御を統括して行う。また、操作部１２は、テレビジョン放送受信機１００をユーザに操作させる為に設けられたものである。また、記憶部１４は、各種処理を実行する為に必要な様々な情報を記憶している。記憶部１４に記憶された情報には、例えば、デジタルＴＶ放送のチャンネル情報とそれに対応したアナログＴＶ放送のチャンネル情報（ここでは、あるデジタルＴＶ放送と同一時間に同一番組を放送しているアナログＴＶ放送）とを関連付けたものがある。また、映像・音声切換部５０は、制御部１０に制御され、デジタルＴＶ放送又はアナログＴＶ放送のいずれか一方の映像信号及び音声信号を、それぞれ両映像出力端子及び音声出力端子に選択的に出力することができる。
【００１４】
なお、ユーザは、操作部１２を操作することにより、例えば視聴したいＴＶ放送のチャンネルを選択することができる。操作部１２が操作されるとその操作に応じた信号が制御部１０に入力される。これにより、制御部１０は、現在設定されているＴＶ放送のチャンネルなどを認識することができる。また、記憶部１４に記憶されたデジタルＴＶ放送のチャンネル情報とアナログＴＶ放送のチャンネル情報との関連付けは、操作部１２を操作することによってユーザが各自設定することもできる。
【００１５】
ここで、デジタルＴＶ放送の番組を出力する為の構成及び作用について説明する。テレビジョン放送受信機１００は、制御部１０の制御下で作動する、デジタルＴＶ放送の番組を出力する為の構成として、デジタル用アンテナ２２、デジタル用チューナ２４、ＯＦＤＭ（Orthogonal Frequency Division Multiplexing）部２６、及び、ＭＰＥＧ（Moving Picture Experts Group）部２８を備えている。
【００１６】
デジタル用アンテナ２２は、デジタルＴＶ放送を受信してデジタル用チューナ２４に出力する。デジタル用チューナ２４は、デジタル用アンテナ２２が受信した信号の中から所定のチャンネルのデジタルＴＶ放送（例えば操作部１２の操作で設定されているチャンネル）を捕捉してＯＦＤＭ部２６に出力する。
【００１７】
本実施形態においては、デジタルＴＶ放送はＯＤＦＭ方式によって送信されている。ＯＤＦＭ方式とは、送信側（放送局）でデジタル信号（本実施形態においてはＭＰＥＧフォーマットの信号）をシリアル−パラレル変換して複数の並列シンボルとし、さらにこれを逆フーリエ変換して複数個（例えば数千個）のキャリアを得、これをＤ／Ａ変換した信号を送信するものである。ＯＦＤＭ部２６は、デジタル信号をＡ／Ｄ変換し、ここから例えば複数個のキャリアを取得し、これをフーリエ変換して並列シンボルを得、これをパラレル−シリアル変換してデジタル信号に変換する。この変換されたデジタル信号はＭＰＥＧ部２８に送られる。
【００１８】
ＭＰＥＧ部２８は、ＯＦＤＭ部２６から出力されたＭＰＥＧ信号を、デコードし、デジタルＴＶ放送の映像信号及び音声信号として映像・音声切換部５０に出力する。映像・音声切換部５０がデジタルＴＶ放送の映像信号及び音声信号を出力するように設定されている場合、これらの信号がモニタ及びスピーカから出力され、ユーザは、地上波のデジタルＴＶ放送を視聴することができる。
【００１９】
次に、アナログＴＶ放送の番組を出力する為の構成及び作用について説明する。テレビジョン放送受信機１００は、制御部１０の制御下で作動する、アナログＴＶ放送の番組を出力する為の構成として、アナログ用アンテナ３２、アナログ用チューナ３４を備えている。
【００２０】
アナログ用アンテナ３２は、アナログＴＶ放送を受信してアナログ用チューナ３４に出力する。アナログ用チューナ３４は、アナログ用アンテナ３２が受信した信号の中から所定のチャンネル（デジタル用チューナ２４が捕捉したものに対応するチャンネル）のアナログＴＶ放送の信号を捕捉して復調し、アナログＴＶ放送の映像信号及び音声信号として映像・音声切換部５０に出力する。映像・音声切換部５０がアナログＴＶ放送の映像信号及び音声信号を出力するように設定されている場合、これらの信号がモニタ及びスピーカから出力され、ユーザは、地上波のアナログＴＶ放送を視聴することができる。
【００２１】
なお、映像・音声切換部５０の出力設定は、制御部１０の制御下で、デジタル用アンテナ２２の受信品質に基づいて実行される。説明を加えると、制御部１０は、デジタル用アンテナ２２の受信品質を常時監視しており、デジタル用アンテナ２２の受信品質が第１の条件（後述）を満たした場合には、モニタ及びスピーカへの出力信号がアナログＴＶ放送の映像信号及び音声信号となるように映像・音声切換部５０を制御する。また、デジタル用アンテナ２２の受信品質が第２の条件（後述）を満たした場合には、当該出力信号デジタルＴＶ放送の映像信号及び音声信号となるように映像・音声切換部５０を制御する。
【００２２】
なお、受信品質としては、受信した信号の電界強度や、デジタル信号のビットエラーレートなど、既知のさまざまなものが使用され得る。
【００２３】
また、制御部１０は、上述のデジタルＴＶ放送の信号処理を実行しつつアナログＴＶ放送の信号処理も並行して実行している。従って、映像・音声切換部５０には、両方のＴＶ放送の信号が常時入力されている。この為、映像・音声切換部５０の出力設定が切り換えられると、切換後に設定された信号はモニタ及びスピーカに直ぐさま出力される。
【００２４】
本実施形態においては、第１、第２の条件はデジタル用アンテナの受信品質が所定のレベルＤを連続して下回った時間及び、上回った時間を用いて定められる。具体的には、第１の条件は、デジタル用アンテナの受信品質が所定のレベルＤを連続して下回った時間がＴＡを上回ることによって成立する。また、第２の条件は、デジタル用アンテナの受信品質が所定のレベルＤを連続して上回った時間がＴＤを上回ることによって成立する。ここで、ＴＡ及びＴＤは固定値ではなく、第１の条件及び第２の条件が成立するたびに更新される。
【００２５】
図２は、本実施形態において、第１の条件と第２の条件に基づいてアナログＴＶ放送とデジタル放送の切り換えを行うとともにＴＡ、ＴＤを更新するためのルーチンを示したフローチャートである。なお、このルーチンは制御部１０によって実行される。
【００２６】
本ルーチンは、チャンネルの設定や電源オン等をトリガーとして実行される。この時、制御部１０は、デジタル用チューナ２４及びアナログ用チューナ３４の両方でＴＶ放送を捕捉する。また、本ルーチンが開始している時点では、デジタルＴＶ放送の映像及び音声がモニタ及びスピーカに出力されるようになっている。本ルーチンが開始すると、ステップＳ１が実行される。
【００２７】
ステップＳ１では、各種初期設定が行われる。この時、ＴＡ及びＴＤには定数Ｍが代入される。ここで、ＭはＴＡ、ＴＤのとり得る最大値である。また、カウント部１０ａのカウント値Ｃを０にリセットする。さらに、フラグＦｄがＴｒｕｅにセットされる。このフラグＦｄは、後述するステップＳ２で取得されるデジタルＴＶ放送の信号品質の評価値が所定地Ｄを超えているかどうかを示すフラグである。ＦｄがＴｒｕｅであるのならば、前回実施されたステップＳ２において取得された評価値がＤを上回っていたことを示す。また、ＦｄがＦａｌｓｅであるのならば、前回実施されたステップＳ２において取得された評価値がＤを下回っていたことを示す。ステップＳ１の段階では、まだステップＳ２は実施されていないが、暫定的にＦｄにＴｒｕｅが代入される。次いで、ステップＳ２に進む。
【００２８】
ステップＳ２では、デジタル放送の信号品質の評価が行われる。次いで、ステップＳ３に進む。
【００２９】
ステップＳ３では、ステップＳ２で取得した信号品質の評価値が定数Ｄを上回っているかどうかが判定される。評価値が定数Ｄを上回っている場合は（Ｓ３：ＹＥＳ）ステップＳ４に進み、下回っている場合は（Ｓ３：ＮＯ）ステップＳ１０に進む。さらに、この時、この判定結果とＦｄとの比較が行われる。すなわち、ＦｄがＴｒｕｅであり、且つ信号品質の評価値が定数Ｄを下回っている場合は、ＦｄにＦａｌｓｅが代入されると共にカウンタ値Ｃが０にリセットされる。また、ＦｄがＦａｌｓｅであり、且つ信号品質の評価値が定数Ｄを上回っている場合は、ＦｄにＴｒｕｅが代入されると共にカウンタ値Ｃが０にリセットされる。
【００３０】
ステップＳ４では、カウンタＣの値がＴＤに達したかどうかの判定が行われる。前述のように、信号品質の評価値が定数Ｄを下回った状態から上回った状態に変わるときに、ステップＳ３でカウンタ値Ｃがリセットされるようになっているので、ステップＳ４時点でのカウンタ値Ｃは、信号品質の評価値が定数Ｄを連続して上回っていた時間である。カウンタＣの値がＴＤに達した場合（すなわち信号品質の評価値が第２の条件を満たした場合）は（Ｓ４：ＹＥＳ）、ステップＳ５に進む。一方、カウンタＣの値がＴＤに達していない場合（すなわち信号品質の評価値が第２の条件を満たしていない場合）は（Ｓ４：ＮＯ）、ステップＳ２に戻る。
【００３１】
ステップＳ５では、現在出力しているのがアナログＴＶ放送であれば、デジタルＴＶ放送に切り換える、デジタル切り換え動作が行われる。次いで、ステップＳ６に進む。
【００３２】
ステップＳ６では、ＴＤが定数Ｌより大きいかどうかの判定が行われる。なお、定数Ｌは、ＴＡ、ＴＤのとり得る最小値であり、Ｍ＞Ｌである。ＴＤがＬより大きいのであれば（Ｓ６：ＹＥＳ）、ステップＳ７に進み、ＴＤから１単位時間引いた後、ステップＳ８に進む。なお、本実施形態における単位時間が何秒に相当するかは、本受信機の設計時に適宜設定されるものである。
【００３３】
一方、ステップＳ６において、ＴＤが定数Ｌより大きくない、すなわちＴＤがＬに等しいと判断された場合は（Ｓ６：ＮＯ）、そのまま（すなわちＴＤの値はＬのままで変化させず）ステップＳ８に進む。
【００３４】
ステップＳ８では、ＴＡが定数Ｍより小さいかどうかの判定が行われる。ＴＡがＭより小さいのであれば（Ｓ８：ＹＥＳ）、ステップＳ９に進み、ＴＡに１単位時間加えた後、ステップＳ２に戻る。一方、ステップＳ８において、ＴＡが定数Ｍより小さくない、すなわちＴＡがＭに等しいと判断された場合は（Ｓ６：ＮＯ）、そのまま（すなわちＴＡの値はＭのままで変化させず）ステップＳ２に戻る。
【００３５】
以上のように、第２の条件が成立したときは、ステップＳ４〜９のルーチンによって、ＴＤは１単位時間減少し、またＴＡは１単位時間増加する。この結果、信号品質の評価値が定数Ｄを連続して上回っている時間がより短くても第２の条件が成立するようになる。反対に、信号品質の評価値が定数Ｄを連続して下回っている時間がより長くならないと第１の条件が成立しないようになる。すなわち、第２の条件が成立したときは、第２の条件がより成立しやすくなり、また、第１の条件はより成立しにくくなる。換言すれば、第２の条件が成立したときは、デジタルＴＶの出力が維持される方向に、第１及び第２の条件が変更される。
【００３６】
一方、ステップＳ１０では、カウンタＣの値がＴＡに達したかどうかの判定が行われる。前述のように、信号品質の評価値が定数Ｄを上回った状態から下回った状態に変わるときに、ステップＳ３でカウンタ値Ｃがリセットされるようになっているので、ステップＳ１０時点でのカウンタ値Ｃは、信号品質の評価値が定数Ｄを連続して下回っていた時間である。カウンタＣの値がＴＡに達した場合（すなわち信号品質の評価値が第１の条件を満たした場合）は（Ｓ１０：ＹＥＳ）、ステップＳ１１に進む。一方、カウンタＣの値がＴＡに達していない場合（すなわち信号品質の評価値が第１の条件を満たしていない場合）は（Ｓ１０：ＮＯ）、ステップＳ２に戻る。
【００３７】
ステップＳ１１では、現在出力しているのがデジタルＴＶ放送であれば、アナログＴＶ放送に切り換える、アナログ切り換え動作が行われる。次いで、ステップＳ１２に進む。
【００３８】
ステップＳ１２では、ＴＡが定数Ｌより大きいかどうかの判定が行われる。ＴＡがＬより大きいのであれば（Ｓ１２：ＹＥＳ）、ステップＳ１３に進み、ＴＡから１単位時間引いた後、ステップＳ１４に進む。一方、ステップＳ１２において、ＴＡが定数Ｌより大きくない、すなわちＴＡがＬに等しいと判断された場合は（Ｓ１２：ＮＯ）、そのまま（すなわちＴＡの値はＬのままで変化させず）ステップＳ１４に進む。
【００３９】
ステップＳ１４では、ＴＤが定数Ｍより小さいかどうかの判定が行われる。ＴＤがＭより小さいのであれば（Ｓ１４：ＹＥＳ）、ステップＳ１５に進み、ＴＤに１単位時間加えた後、ステップＳ２に戻る。一方、ステップＳ１４において、ＴＤが定数Ｍより小さくない、すなわちＴＤがＭに等しいと判断された場合は（Ｓ１４：ＮＯ）、そのまま（すなわちＴＤの値はＭのままで変化させず）ステップＳ２に戻る。
【００４０】
以上のように、第１の条件が成立したときは、ステップＳ１０〜１５のルーチンによって、ＴＡは１単位時間減少し、またＴＤは１単位時間増加する。この結果、信号品質の評価値が定数Ｄを連続して下回っている時間がより短くても第１の条件が成立するようになる。反対に、信号品質の評価値が定数Ｄを連続して上回っている時間がより長くならないと第２の条件が成立しないようになる。すなわち、第１の条件が成立したときは、第１の条件がより成立しやすくなり、また、第２の条件はより成立しにくくなる。換言すれば、第１の条件が成立したときは、アナログＴＶの出力が維持される方向に、第１及び第２の条件が変更される。
【００４１】
以上が本発明の実施形態である。本発明はこれらの実施形態に限定されるものではなく様々な範囲で変形が可能である。
【００４２】
なお、本実施形態のテレビジョン放送受信機は車載されたものであるが、別の実施例では人が携帯するような機器であっても良い。
【図面の簡単な説明】
【００４３】
【図１】本発明の実施の形態のテレビジョン放送受信機の構成を示したブロック図である。
【図２】本実施形態の制御部が実行する切り換え処理を示したフローチャートである。
【符号の説明】
【００４４】
１０    制御部
１０ａ  カウント部
１２    操作部
１４    記憶部
２２    デジタル用アンテナ
２４    デジタル用チューナ
３２    アナログ用アンテナ
３４    アナログ用チューナ
５０  映像・音声切換部
１００  テレビジョン放送受信機
【図１】
2007208336.tif 000003
【図２】
2007208336.tif 000004